(57)【要約】      （修正有）【課題】レンズのケラレを判定し、焦点検出枠、焦点検出領域の遷移制御を行う。【解決手段】撮影光学系の焦点調節状態を複数の焦点検出領域において検出可能な位相差方式のデジタルカメラ２００で、制御手段２２３は、焦点検出光学系の入射瞳が撮影光学系の射出瞳に包含される焦点検出領域のパターンを記憶するパターン記憶手段２２３を有し、パターン記憶手段２２３に記憶されている特定のパターンを選択し、特定のパターンに対応する焦点検出領域に於いて焦点調節状態の検出を許容することを特徴とし、焦点検出モードを選択する焦点検出モード選択手段２２３と、選択されている焦点検出モードにおいて指定されている焦点検出位置を判定する焦点検出位置判定手段２２３と、焦点検出領域が変化した時に、焦点検出位置が焦点検出領域に含まれるかを判定するケラレ判定手段２２３を持ち、ケラレたと判定された時に、焦点検出位置を変更する。【選択図】図１
2017021177.tif 000002
【特許請求の範囲】
【請求項１】
撮影光学系の焦点調節状態を複数の焦点検出領域において検出可能な位相差方式のデジタルカメラ（２００）で、撮影光学系の射出瞳の互いに異なる領域を通過した光束をそれぞれ結像させる焦点検出光学系と、焦点検出光学系からの光束を受光するＡＦセンサ（２０４）と、ＡＦセンサ（２０４）の出力に基づいて、撮影光学系の焦点調節状態に関する演算を行う制御手段（２２３）とを有し、制御手段（２２３）は、前記焦点検出光学系の入射瞳が前記撮影光学系の射出瞳に包含される焦点検出領域のパターンを、前記撮影光学系のＦ値および前記撮影光学系の射出瞳位置に関する情報に応じて記憶するパターン記憶手段（２２３）を融資、前記制御手段（２２３）は、前記撮影光学系のＦ値及び前記撮影光学系の射出瞳位置に関する情報に基づいて、前記パターン記憶手段（２２３）に記憶されている特定のパターンを選択肢、外特定のパターンに対応する焦点検出領域に於いて焦点調節状態の検出を許容することを特徴とし、
焦点検出領域で選択可能な焦点検出モードを判定する焦点検出モード判定手段（２２３）と、焦点検出モードを選択する焦点検出モード選択手段（２２３）と、
選択されている前記焦点検出モードにおいて指定されている焦点検出位置を判定する焦点検出位置判定手段（２２３）と、
前記焦点検出領域が変化した時に、前記焦点検出位置が焦点検出領域に含まれるかを判定するケラレ判定手段（２２３）を持ち、
ケラレたと判定された時に、焦点検出位置を変更することを特徴とするデジタルカメラ。
【請求項２】
前記検出装置において、ケラレたと判定された時に、焦点検出位置の移動が最も少なくなるように遷移することを特徴とする請求項１に記載のデジタルカメラ。
【請求項３】
前記検出装置において、ケラレたと判定された時に、焦点検出モードで選択可能な領域の中央に焦点検出位置を遷移することを特徴とする請求項１に記載のデジタルカメラ。
【請求項４】
前記検出装置において、さらに、焦点検出モードの変化を判定する焦点検出モード変化判定手段を持ち、
ケラレ判定手段に判定結果により、ケラレたと判定された時に、焦点検出モード変化判定手段により、焦点検出モードに変化があると判定された場合には、焦点検出モード選択手段により変更し、変更後の焦点検出モードで選択可能な領域の中央に焦点検出位置を遷移することを特徴とする請求項１に記載のデジタルカメラ。
【発明の詳細な説明】
【技術分野】
【０００１】
本発明は焦点検出装置、撮像装置及びカメラシステムに関し、特にレンズなどの撮影光学系によるケラレが生じる場合のカメラシステムに適するものである。
【背景技術】
【０００２】
最近、多くの写真用カメラあるいはビデオカメラは、対物レンズ（撮影レンズ）の焦点を自動的に調節する自動焦点調節機能を内蔵している。特に、厳しいピント精度が要求される一眼レフカメラには、位相差検出方式を用いた焦点検出装置が一般に用いられている。この位相差検出方式は、撮影光学系の瞳の異なる領域からの一対の光量分布を光量変換素子の画素列（ラインセンサ列）で受け、両光量分布の相対的位置関係から対物レンズの焦点調節状態を検出する方式である。
【０００３】
この焦点検出方式は、撮影レンズの焦点距離にかかわらずデフォーカス検出が可能であることや、焦点検出の視野の大きさが撮影レンズの焦点距離にかかわらず固定されていることから、撮影レンズ交換式のカメラシステムに好適である。また、近年、位相差検出方式の焦点検出装置であって複数の焦点検出視野を有するものも製品化されている。
【０００４】
しかしながら、この位相差検出方式では、焦点検出側の光学系によって決定される光軸上の所定の位置に所定のＦ値（Ｆナンバー）で一対の入射瞳を備えるが、撮影光学系によっては焦点検出光束にケラレが生じる場合がある。即ち、撮影光学系のＦ値（Ｆナンバー）がこの上記所定のＦ値よりも大きいと焦点検出光束にケラレが生じ、また撮影光学系の瞳が所定の位置と異なる交換レンズを装着した場合には、焦点検出光束の一部にケラレが生じると、焦点検出精度が著しく低下する。
【０００５】
この影響を改善する為に、特許文献１では、焦点検出光束のケラレを判定し、ケラレが発生しない場合には、位相差ＡＦでＡＦ制御を行い、ケラレが発生する場合には、コントラストＡＦでＡＦ制御を行う。
【０００６】
また、特許文献２では、焦点検出光束を判定し、焦点検出光束の変化に応じて、焦点検出領域を適宜設定を行っている。
【先行技術文献】
【特許文献】
【０００７】
【特許文献１】特開2007-248782号公報
【特許文献２】特開2014-10284号公報
【発明の概要】
【発明が解決しようとする課題】
【０００８】
特許文献１に開示された従来技術では、レンズによる焦点検出光束のケラレにより位相差ＡＦ方式、コントラストＡＦ方式を切り替えて焦点検出する方法についての開示はあるが、レンズによる焦点検出光束のケラレにより、位相差ＡＦで焦点検出可能な領域を決定し、さらに焦点検出枠、焦点検出領域の遷移制御を行う方法についての開示は無い。
【０００９】
特許文献２に開示された従来技術でも、レンズによる焦点検出光束のケラレにより、位相差ＡＦで焦点検出可能な領域を決定することの開示はあるが、さらに焦点検出枠、焦点検出領域の遷移制御を行う方法についての開示は無い。
【００１０】
そこで本発明の目的は、レンズによる焦点検出光束の特徴を元にあらかじめ焦点検出可能な領域を定めておくことで、レンズの脱着を検知し、ケラレを判定し、焦点検出枠、焦点検出領域の遷移制御を行うようにすること、さらに、焦点検出枠や焦点検出領域を設定する焦点検出モードの遷移を分かりやすくすることである。
【課題を解決するための手段】
【００１１】
本発明に係るデジタルカメラは、撮影光学系の焦点調節状態を複数の焦点検出領域において検出可能な位相差方式のデジタルカメラ（２００）で、撮影光学系の射出瞳の互いに異なる領域を通過した光束をそれぞれ結像させる焦点検出光学系と、焦点検出光学系からの光束を受光するＡＦセンサ（２０４）と、ＡＦセンサ（２０４）の出力に基づいて、撮影光学系の焦点調節状態に関する演算を行う制御手段（２２３）とを有し、制御手段（２２３）は、前記焦点検出光学系の入射瞳が前記撮影光学系の射出瞳に包含される焦点検出領域のパターンを、前記撮影光学系のＦ値および前記撮影光学系の射出瞳位置に関する情報に応じて記憶するパターン記憶手段（２２３）を融資、前記制御手段（２２３）は、前記撮影光学系のＦ値及び前記撮影光学系の射出瞳位置に関する情報に基づいて、前記パターン記憶手段（２２３）に記憶されている特定のパターンを選択肢、外特定のパターンに対応する焦点検出領域に於いて焦点調節状態の検出を許容することを特徴とし、
焦点検出領域で選択可能な焦点検出モードを判定する焦点検出モード判定手段（２２３）と、焦点検出モードを選択する焦点検出モード選択手段（２２３）と、
選択されている前記焦点検出モードにおいて指定されている焦点検出位置を判定する焦点検出位置判定手段（２２３）と、
前記焦点検出領域が変化した時に、前記焦点検出位置が焦点検出領域に含まれるかを判定するケラレ判定手段（２２３）を持ち、
ケラレたと判定された時に、焦点検出位置を変更することを特徴とする。
【発明の効果】
【００１２】
本発明に係るデジタルカメラによれば、レンズによる焦点検出光束の特徴を元にあらかじめ焦点検出可能な領域を定めておくことで、レンズの脱着を検知し、ケラレを判定し、焦点検出枠、焦点検出領域の遷移制御を行うようにすることが可能である。
【００１３】
さらに、焦点検出枠や焦点検出領域を設定する焦点検出モードの遷移を分かりやすくすることが可能である。
【図面の簡単な説明】
【００１４】
【図１】デジタルカメラのブロック図
【図２】デフォーカス量検出の原理説明図
【図３】デフォーカス量検出の原理説明図
【図４】光束のケラレの原理説明図
【図５】（ａ）光束のケラレが無い状態の焦点検出領域、焦点検出モードの説明図（ｂ）光束のケラレが有る状態の焦点検出領域、焦点検出モードの説明図
【図６】（ａ）（ｂ）（ｃ）  焦点検出モードの１つであるゾーン焦点検出モードにおける焦点検出領域の動作の説明図
【図７】実施例１の焦点検出枠の変更シーケンスの説明図
【図８】実施例２の焦点検出枠の変更シーケンスの説明図
【図９】光束のケラレが有る状態で自動焦点検出モードが変更になる場合の焦点検出領域、焦点検出モードの説明図
【図１０】実施例３の焦点検出枠の変更シーケンスの説明図
【発明を実施するための形態】
【００１５】
以下に、本発明の好ましい実施の形態を、添付の図面に基づいて詳細に説明する。
【００１６】
［実施例１］
以下、図面を参照して、本発明の第１の実施例による焦点検出枠の変更方法について説明する。
【００１７】
以下、図面を参照して本発明の好適な実施形態を説明する。図１は本実施形態によるデジタルカメラ２００の構成例を示すブロック図である。図１において、レンズユニット１００は、交換可能な撮影レンズを搭載するレンズユニットである。
【００１８】
デジタルカメラ２００は、撮影レンズユニット１００が不図示のマウント機構を介しを着脱可能に取り付けられる。マウント部には、電気的接点群１０７を有し、デジタルカメラ２００と撮影レンズユニット１００の間で通信を行い撮影レンズのレンズ１０１・絞り１０２の駆動を行う。
【００１９】
不図示の被写体像からの撮影光束が、撮影レンズ１０１、及び、光量を調節するための露出制御手段である絞り１０２を介して、クイックリターンミラー２０２に導かれる。クイックリターンミラー２０２の中央部はハーフミラーになっており、該クイックリターンミラー２０２がダウンした位置にて一部の被写体光束が透過するように構成されている。該クイックリターンミラー２０２を透過した被写体光束は、クイックリターンミラー２０２の後方へ設置されたサブミラー２０３により反射され、自動焦点調整手段であるＡＦセンサ２０４に導かれる。
【００２０】
一方、クイックリターンミラー２０２で反射された撮影光束は、ピント板２５０上に結像する。ピント板２５０に結像した像は、ペンタプリズム２０１、接眼レンズ２０６を介して撮影者の目に至る。
【００２１】
ピント板２５０とペンタプリズム２０１との間には、透過型液晶２５１が配置され、この透過型液晶２５１は複数の測距点が表示される。これによって、撮影者はピント板２５０上の被写体像と複数の測距点と重ね合わせて目視することができる。また、クイックリターンミラー２０２がアップした際には、前記撮影レンズ１０１からの光束は、フィルタ２０９、機械シャッタであるフォーカルプレーンシャッタ２０８を介して撮像素子としてのＣＭＯＳ等に代表される撮像手段であるイメージセンサ２１０に至る。前記フィルタ２０９は２つの機能を有しているもので、１つは赤外線をカットし可視光線のみをイメージセンサ２１０へ導く機能であり、もう１つは被写体光の高周波成分をカットする光学ローパスフィルタとしての機能である。また、フォーカルプレーンシャッタ２０８は、先幕及び後幕を有して成るもので、撮影レンズ１０１からの光束を透過、遮断を制御する遮光手段である。
【００２２】
なお、クイックリターンミラー２０２のアップ時には、サブミラー２０３は折り畳まれるように構成されている。また、デジタルカメラ２００は、デジタルカメラ全体の制御手段となるＣＰＵにより構成されるシステムコントローラ２２３を備え、後述する各部の動作を適宜制御する。
【００２３】
前記システムコントローラ２２３は、前記撮影レンズ１０１を光軸方向に移動してピント合わせを行うためのレンズ駆動機構１０３を制御するレンズ制御回路１０４と、前記絞り１０２を駆動するための絞り駆動機構１０５を制御する絞り制御回路１０６と、クイックリターンミラー２０２のアップ・ダウンの駆動、及び、フォーカルプレーンシャッタ２０８のシャッタチャージ駆動を制御するシャッタチャージ・ミラー駆動機構２１１と、フォーカルプレーンシャッタ２０８の先幕、後幕の走行を制御するためのシャッタ制御回路２１２と、前記接眼レンズ２０６の近傍に配設された測光センサに接続された自動露出制御を行う為の分割測光手段である測光回路２０７と、該デジタルカメラ２００を制御する上で調整が必要なパラメータやレンズＩＤ情報やレンズＩＤに対応した焦点検出可能領域が記憶されている記憶手段であるＥＥＰＲＯＭ２２２とが接続されている。
【００２４】
ＥＥＰＲＯＭ２２２には、システムコントローラ２２３の動作用の定数、プログラム等が記憶される。ここでいう、プログラムとは、本実施形態にて後述する各種フローチャートを実行するためのプログラムのことである。
【００２５】
システムコントローラ２２３は、デジタルカメラ２００全体を制御する。前述したＥＥＰＲＯＭ２２２に記録されたプログラムを実行することで、後述する本実施形態の各処理を実現する。ＤＲＡＭ２２１には、システムコントローラ２２３の動作用の定数、変数、ＥＥＰＲＯＭ２２２から読み出したプログラム等を展開する。
【００２６】
レンズ制御回路１０４にはレンズ固有の情報、例えば焦点距離、開放絞り、レンズ個々に割り振られるレンズＩＤ、レンズ種類、製造者情報、レンズ状態等々の情報とシステムコントローラ２２３から受け取った情報を記憶するレンズ記憶手段も有している。
【００２７】
また、該デジタルカメラ２００にはパーソナルコンピュータ（ＰＣ）に代表される外部制御装置３００が接続可能になっており、通信インターフェース回路２２４を介して該パーソナルコンピュータ３００とシステムコントローラ２２３とが通信可能になされている。
【００２８】
前記測光回路２０７に接続される測光センサは、被写体の輝度を測定するためのセンサであり、その出力は測光回路２０７を経てシステムコントローラ２２３へ供給される。測光回路２０７は自動露出調整手段である。
【００２９】
また、前記システムコントローラ２２３は、前記レンズ制御回路１０４を介して、前記レンズ駆動機構１０３を制御することにより、被写体像をイメージセンサ２１０上に結像する。また、システムコントローラ２２３は、撮影モードにより設定されたＡｖ値に基いて、前記絞り制御回路１０６を介して絞り１０２を駆動する絞り駆動機構１０５を制御し、更に、設定されたＴｖ値に基いて、前記シャッタ制御回路２１２へ制御信号を出力する。
【００３０】
前記フォーカルプレーンシャッタ２０８の先幕、後幕は、駆動源がバネにより構成されており、シャッタ走行後、次の動作のためにバネチャージを要する。シャッタチャージ・ミラー駆動機構２１１は、このバネチャージを制御するように構成されている。また、シャッタチャージ・ミラー駆動機構２１１によりクリックリターンミラー２０２のアップ・ダウンが行われる。
【００３１】
前記システムコントローラ２２３には、画像データコントローラ２２０が接続されている。この画像データコントローラ２２０は、ＤＳＰ（デジタル信号プロセッサ）により構成される補正データサンプル手段、及び、補正手段であり、イメージセンサ２１０の制御、該イメージセンサ２１０から入力された画像データの補正や加工などをシステムコントローラ２２３の指令に基いて実行するものである。画像データの補正・加工の項目の中にはオートホワイトバランスも含まれている。オートホワイトバランスとは、撮影画像の中の最大輝度の部分を所定の色（白色）に補正する機能である。オートホワイトバランスは、システムコントローラ２２３からの命令により補正量を変更する事が可能である。
【００３２】
前記画像データコントローラ２２０には、イメージセンサ２１０を駆動する際に必要なパルス信号を出力するタイミングパルス発生回路２１７と、イメージセンサ２１０と共にタイミングパルス発生回路２１７で発生されたタイミングパルスを受けて、該イメージセンサ２１０から出力される被写体像に対応したアナログ信号をデジタル信号に変換するためのＡ／Ｄコンバータ２１６と、得られた画像データ（デジタルデータ）を一時的に記憶しておくＤＲＡＭ２２１と、Ｄ／Ａコンバータ２１５及び画像圧縮回路２１９とが接続されている。
【００３３】
前記ＤＲＡＭ２２１は、加工や所定のフォーマットへのデータ変換が行われる前の画像データを一時的に記憶するための記憶手段として使用される。
【００３４】
また、前記Ｄ／Ａコンバータ２１５には、エンコーダ回路２１４を介して画像表示手段である画像表示回路２１３が接続される。更に、画像圧縮回路２１９には、記録手段である画像データ記録メディア２１８が接続される。
【００３５】
前記画像表示回路２１３は、イメージセンサ２１０で撮像された画像データを表示するための回路であり、一般にはカラーの液晶表示素子により構成される。
【００３６】
画像データコントローラ２２０は、ＤＲＡＭ２２１上の画像データを、Ｄ／Ａコンバータ２１５によりアナログ信号に変換してエンコーダ回路２１４へ出力する。エンコーダ回路２１４はこのＤ／Ａコンバータ２１５の出力を、前記画像表示回路２１３を駆動する際に必要な映像信号（例えばＮＴＳＣ信号）に変換する。
【００３７】
前記画像圧縮回路２１９は、ＤＲＡＭ２２１に記憶された画像データの圧縮や変換（例えばＪＰＥＧ）を行うための回路である。変換された画像データは、画像データ記録メディア２１８へ格納される。この記録メディアとしては、ハードディスク、フラッシュメモリ、フロッピー（登録商標）ディスク等が使用される。
【００３８】
さらにシステムコントローラ２２３には、該デジタルカメラ２００の動作モードの情報や露出情報（シャッタ秒時、絞り値等）の表示を行うための動作表示回路２２５と、測光・測距などの撮影準備動作を開始させるためのレリーズＳＷ１（２３１）、撮像動作を開始させるためのレリーズＳＷ２（２３０）と、ユーザが所望の動作を該デジタルカメラに実行させるべくモードを設定するモード設定ＳＷ２２９と、画像選択手段やメニュー設定等の各種設定手段である決定ＳＷ２２７と、回転動作によりパラメータをアップダウンさせて表示させる。
【００３９】
あるいは焦点検出枠の移動を行う電子ダイヤルＳＷ２２６と、メニューＳＷ２３６と、再生ＳＷ２３７と、拡大縮小ＳＷ２３８が接続されている。例えば、メニューＳＷ２３６が押されると各種の設定可能なメニュー画面が画像表示回路２１３に表示される。各種の設定可能なメニュー画面には、焦点検出枠を選択する焦点検出枠選択画面も含まれる。利用者は、画像表示回路２１３に表示されたメニュー画面と、電子ダイヤルＳＷ２２６や決定ＳＷ２２７とを用いて直感的にメニュー設定等の各種設定を行うことができる。
【００４０】
また、例えば、再生ＳＷ２３７が押されると各種の設定可能な再生画面が画像表示回路２１３に表示される。さらに再生画面には画像データ記録メディア２１８に記録されている画像データを表示する。また再生画面内で拡大縮小ＳＷ２３８が押されると画像が拡大、あるいは縮小して画像表示回路２１３に表示される。利用者は、画像表示回路２１３に表示された再生画面と、電子ダイヤルＳＷ２２６や決定ＳＷ２２７や拡大縮小ＳＷ２３８とを用いて直感的に画像送り、拡大位置の指定、拡大縮小等の各種設定を行うことができる。
【００４１】
（デフォーカス検出の原理説明）
次にデフォーカス量検出（ピント位置ズレ量検出）の原理を図２、図３を参照して説明する。図２は撮像素子上でのピント位置、およびピント位置ズレを示した図である。図２に示すように、撮像素子上にピントがあっているとき、ラインセンサ上の２像間隔はある値をとる。この値は設計上求めることができるが、実際には、部品の寸法、バラツキや組立て上の誤差によって設計値と同じとはならない。したがって、実際には測定しなければこの２像間隔（基準２像間隔Ｌｏ）を求めることは困難である。この基準２像間隔Ｌｏより２像間隔が狭まければ、前ピンであり、Ｌｏより広ければ後ピンである。
【００４２】
図３はＡＦセンサモジュールの光学系からコンデンサレンズを省いたモデルを示した図である。図３に示すように、主光線の角度をθ、セパレータレンズの倍率をβ、像の移動量をΔＬ，ΔＬ’とすると、デフォーカス量Ｌは以下の式で求まる。
【００４３】
【数１】
2017021177.tif 000003
【００４４】
ここでβｔａｎθは、ＡＦセンサモジュール５の設計上定まるパラメータである。ΔＬ’は基準２像間隔（Ｌｏ）と現在の２像間隔（Ｌｔ）から求めることができる。ＡＦセンサ２０４は、撮影画面の複数の位置で焦点検出できるように、前記構成を複数具備している。オートフォーカス機能のピント調整は、あらかじめピント位置のわかっているレンズを用い、撮像素子の光軸上の位置（撮像素子の組み付け誤差）にピント位置が来るようにＡＦセンサー２０４から得られる２像間隔をＡＦピント補正パラメータとしてＥＥＰＲＯＭに記憶させるようにしている。
【００４５】
（撮影光学系の射出瞳と焦点検出光学系の入射瞳の包含関係）
次にデジタルカメラ２００に装着されるレンズ１００の種類により発生する光束のケラレの原理を図４を参照して説明する。図４は、撮影光学系の射出瞳の位置の違いによって生じる焦点検出装置で使用する光束のケラレを説明する図である。
【００４６】
図４（ａ）は撮影光学系が明るく（Ｆ値が小さく）、射出瞳の位置と焦点検出装置の入射瞳の位置が一致する場合を示す。円で示される入射瞳の位置における撮影光学系の光束に、楕円で示される焦点検出装置が使用する光束が包含されることを示している。
【００４７】
図４（ａ）中、円は焦点検出装置の入射瞳位置における、撮影光学系の拘束を示し、瞳（２つの楕円）は位相差焦点検出装置が使用する光束範囲を示している。撮影光学系の射出瞳の位置と、焦点検出装置の入射瞳の位置が一致し、かつ撮影光学系の射出瞳のＦ値が焦点検出装置の特定している所定のＦ値よりも小さい場合は、焦点検出装置で使用する光束にケラレは生じない。そこで、焦点検出光学系の入射瞳が撮影光学系の射出瞳に包含される焦点検出領域における焦点調節状態の検出が許容される。
【００４８】
しかしながら、撮影光学系の射出瞳の位置と、焦点検出系の入射瞳の位置が一致していない場合は、焦点検出装置で使用する光束にケラレが生じる。すなわち、図４（ｂ）では撮影光学系の射出瞳の位置と、焦点検出装置の入射瞳の位置が一致していないために焦点検出装置の試用する光束にケラレが生じることを示している。図４（ｂ）中の円は焦点検出装置の入射瞳位置における、撮影光学系の軸外からの光束を示し、２つの楕円は焦点検出装置が使用する光束の位置を示している。
【００４９】
図４（ｂ）の状態では、焦点検出装置が使用する光束のうち１つの楕円にケラレが生じることとなり、焦点検出ラインセンサに光量低下が起こる。そこで、焦点検出光学系の入射瞳が撮影光学系の射出瞳に包含されない焦点検出領域における焦点調節状態の検出は制限される。
【００５０】
また、焦点検出装置の入射瞳は所定の位置に所定のＦ値で特定されるが、撮影光学系の射出瞳のＦ値が焦点検出装置の特定しているＦ値よりも大きい場合にも、焦点検出装置が使用する光束にケラレが生じる。すなわち、図４（ｃ）では、撮影光学系の射出瞳のＦ値が焦点検出装置の特定しているＦ値よりも大きい場合にケラレが生じることを示している。図４（ｃ）で、円は焦点検出装置の入射瞳位置における撮影光学系の光軸からの光束を示し、２つの楕円は焦点検出装置が使用する光束の位置を示している。
【００５１】
図４（ｃ）の状態では、２つの楕円ともにケラレが生じ、焦点検出ラインセンサに光量低下が起こる。そこで、焦点検出光学系の入射瞳が撮影光学系の射出瞳に包含されない焦点検出領域における焦点調節状態の検出は制限される。
【００５２】
このように、撮影レンズ毎に焦点検出装置で使用する光束のケラレ方は異なり、これにより、焦点検出ラインセンサ上の光量低下も撮影レンズ毎に異なる。
【００５３】
（自動焦点検出モードの種類）
次に自動焦点検出装置で提供する自動焦点検出モードの種類を図５を参照して説明する。図５は自動焦点検出モードの種類を説明する図である。図５（ａ）はファインダを覗いた場合に見えるファインダ視野内の構成を示している。この図では、透過型液晶２５１の複数のセグメント（表示部）が全点等した状態を示している。例えば、電池残量や、ファインダ内の自動焦点検出可能範囲を示す刻線や方眼形状を示す刻線を表示させても良いし、上記以外の情報を表示しても良い。
【００５４】
本提案書では、自動焦点検出モードとして、選択領域が大きなものから順に、全領域焦点検出モード、大ゾーン焦点検出モード、ゾーン焦点検出モード、任意一点焦点検出モードの４種類のモードを提供するものとして説明を行う。
【００５５】
全領域焦点検出モードは、焦点検出可能な領域の複数の焦点検出枠を用いて焦点検出を行うモードである。焦点検出枠として、ａ１〜ａ９、ｂ１〜ｂ９、ｃ１〜ｃ９、ｄ１〜ｄ９、ｅ１〜ｅ９が用いられる。また、全自動焦点検出モードを表現する形で括弧３１０、括弧３４０、括弧３３２、括弧３４２を表示する。
【００５６】
レリーズＳＷ２３１がユーザーにより押され、システムコントローラ２２３がＥＥＰＲＯＭ２２２に格納された焦点検出アルゴリズムを実行すると、焦点検出回路２０５により焦点検出を行う。焦点検出状態が合焦でなければ、システムコントローラ２２３はレンズ制御回路１０４に信号を送ってレンズ１０１を合焦駆動させる。レンズ駆動が、焦点検出回路１０４は再度焦点検出を行い焦点検出状態が合焦か否かを判定する。そして、焦点検出状態が合焦の場合には、全領域焦点検出モードに対応する焦点検出枠（例えばｂ５）を点灯し、撮影者に合焦であることを知らせる。なお、合焦の表示形態は自由に設定可能である。
【００５７】
焦点検出枠の選択は出来ないので、電子ダイヤル２２６の操作により、システムコントローラ２２３がＥＥＰＲＯＭ２２２に格納された焦点選択アルゴリズムを実行されると、電子ダイヤル２２６の操作を無視する。あるいは画像表示回路２１３に操作が無効である警告表示を行う。
【００５８】
大ゾーン焦点検出モードは、焦点検出可能な領域の複数の焦点検出枠を用いて焦点検出を行うモードである。大ゾーンとしては、括弧３１０、括弧３１２で囲まれた大ゾーン領域１、括弧３２０、括弧３２２に囲まれた大ゾーン領域２、括弧３３０、括弧３３２で囲まれた大ゾーン領域３の３つの領域で構成される。ユーザーは焦点検出領域を３つの領域から選択する。以下では、大ゾーン１を選択した場合について説明する。大ゾーン領域１の焦点検出枠として、ａ１〜ａ３、ｂ１〜ｂ３、ｃ１〜ｃ３、ｄ１〜ｄ３、ｅ１〜ｅ３が用いられる。また、大ゾーン検出モードで大ゾーン領域１を表現する形で括弧３１０、括弧３１２を点灯する。
【００５９】
レリーズＳＷ２３１がユーザーにより押され、システムコントローラ２２３がＥＥＰＲＯＭ２２２に格納された焦点検出アルゴリズムを実行すると、焦点検出状態が合焦の場合には、大ゾーン１に対応する焦点検出枠（例えばｂ２）を点灯し、撮影者に合焦であることを知らせる。
【００６０】
電子ダイヤル２２６の操作により、システムコントローラ２２３がＥＥＰＲＯＭ２２２に格納された焦点選択アルゴリズムを実行すると、選択領域の移動を行う事が出来る。まず、大ゾーン１が選択されているので括弧３１０、括弧３１２が点灯している。電子ダイヤル２２６の操作により大ゾーン２が選択されると括弧３２０、括弧３２２が点灯する。
【００６１】
ゾーン焦点検出モードは、焦点検出可能な領域の複数の焦点検出枠を用いて焦点検出を行うモードである。ゾーンは、図６（ａ）〜図６（ｃ）のように縦３個、横３個の領域で囲まれた計９個の焦点検出枠で構成される。ユーザーは縦３個、横３個の領域で囲まれた計９個の焦点検出枠を全領域から選択する。以下では、図６（ａ）のような中央のゾーンを選択した場合について説明する。中央のゾーン領域の焦点検出枠として、ｂ４〜ｂ６、ｃ４〜ｃ６、ｄ４〜ｄ６が用いられる。また、ゾーン領域を表現する形で、それぞれの９個の焦点検出枠を点灯する。
【００６２】
レリーズＳＷ２３１がユーザーにより押され、システムコントローラ２２３がＥＥＰＲＯＭ２２２に格納された焦点検出アルゴリズムを実行すると、焦点検出状態が合焦の場合には、ゾーンに対応する焦点検出枠（例えばｂ５）を点灯し、撮影者に合焦であることを知らせる。
【００６３】
電子ダイヤル２２６の操作により、システムコントローラ２２３がＥＥＰＲＯＭ２２２に格納された焦点選択アルゴリズムを実行すると、選択領域の移動を行う事が出来る。まず、図６（ａ）のゾーンが選択されていて上方向へ選択領域を移動した場合には、図６（ｂ）のように点灯する。また、図６（ａ）のゾーンが選択されていて左方向へ選択領域を移動した場合には、図６（ｃ）のように点灯する。
【００６４】
任意一点焦点検出モードは、焦点検出可能な領域の１つの焦点検出枠を用いて焦点検出を行うモードである。任意一点を表現する形で選択している焦点検出枠を点灯する。以下では、中央の焦点検出枠であるｃ５を選択した場合について説明する。
【００６５】
レリーズＳＷ２３１がユーザーにより押され、システムコントローラ２２３がＥＥＰＲＯＭ２２２に格納された焦点検出アルゴリズムを実行すると、焦点検出状態が合焦の場合には、選択している焦点検出枠（例えばｃ５）を点灯し、撮影者に合焦であることを知らせる。
【００６６】
電子ダイヤル２２６の操作により、システムコントローラ２２３がＥＥＰＲＯＭ２２２に格納された焦点選択アルゴリズムを実行すると、選択している焦点検出枠の移動を行う事が出来る。まず、上方向へ選択している焦点検出枠を移動した場合には、ｂ５が点灯する。また、左方向へ選択している焦点検出枠を移動した場合には、ｃ４が点灯する。
【００６７】
次にデジタルカメラ２００に装着されるレンズ１００の種類を判定して、現在選択中の焦点検出枠の変更を行う為のシーケンスについて図５、図７を参照して説明する。
【００６８】
本実施例では、レンズ１００の種類により光束のケラレを事前に測定して焦点検出可能領域を定めていることとする。例えば、あるレンズ１００では、図５（ａ）を焦点検出可能領域としている。しかし、別のレンズ１００では、図５（ｂ）を焦点検出可能領域としている。また、本実施例では、図５（ａ）の焦点検出可能領域を持つレンズから図５（ｂ）の焦点検出可能領域を持つレンズに付けかえるものとして説明する。
【００６９】
図７は実施例１におけるデジタルカメラ２００に装着されるレンズ１００の種類を判定して、現在選択中の焦点検出枠の変更する処理のフローチャートである。このフローチャートにおける各処理はシステムコントローラ２２３がＥＥＰＲＯＭ２２２に格納されたプログラムを実行することにより実現される。
【００７０】
メニューＳＷ２３６が押されると不図示の電源制御部が起動しシステムコントローラ２２３の電源を給電開始する。システムコントローラ２２３は図７のステップＳ１０２より実行を開始する。
【００７１】
［ステップＳ１０２］レンズＩＤを判定する
レンズ制御回路１０４に記憶されているレンズＩＤを取得する。
【００７２】
［ステップＳ１０４］焦点検出可能領域を取得する
ステップＳ１０２で取得したレンズＩＤからＥＥＰＲＯＭ２２３に記憶されているレンズＩＤに対応する焦点検出可能領域を取得する。
【００７３】
［ステップＳ１０６］選択焦点検出枠のケラレ判定をする
現在選択している焦点検出枠をステップＳ１０４で取得した焦点検出可能領域に対してケラレが発生しているかを判定する。
【００７４】
［ステップＳ１０８］ケラレたか
ステップＳ１０６でケラレたかを判定する。ケラレている場合はステップＳ１１０へ、ケラレていない場合はフローチャートを終了する。
【００７５】
［ステップＳ１１０］選択焦点検出枠の最小移動先を計測する
選択焦点検出枠が新しいレンズによる焦点検出可能領域に収まる為に必要な移動が最短になるように最小移動先を計測する。
【００７６】
［ステップＳ１１２］選択焦点検出枠を移動する
ステップＳ１１０で計測された最小移動先に選択焦点検出枠を移動する。
【００７７】
図５（ａ）、図５（ｂ）を用いてステップＳ１０６、ステップＳ１１０、ステップＳ１１２における具体的な処理について説明する。自動焦点検出モードの種類として、全領域焦点検出モードを選択している場合には、図５（ａ）が焦点検出可能領域なので、焦点検出枠として、ａ１〜ａ９、ｂ１〜ｂ９、ｃ１〜ｃ９、ｄ１〜ｄ９、ｅ１〜ｅ９が用いられる。レンズを付け替えにより図５（ｂ）が焦点検出可能領域となると、焦点検出枠のａ１〜ａ９、ｅ１〜ｅ９が焦点検出可能枠に含まれない焦点検出枠となりケラレがあると判定される。その後、選択焦点検出枠を移動することで、焦点検出枠として、ｂ１〜ｂ９、ｃ１〜ｃ９、ｄ１〜ｄ９が用いられることになる。
【００７８】
また、自動焦点検出モードの種類として、大ゾーン焦点検出モードを選択している場合には、図５（ａ）が焦点検出可能領域なので、左側の大ゾーン領域を選択している場合は、焦点検出枠として、ａ１〜ａ３、ｂ１〜ｂ３、ｃ１〜ｃ３、ｄ１〜ｄ３、ｅ１〜ｅ３が用いられる。レンズを付け替えにより図５（ｂ）が焦点検出可能領域となると、焦点検出枠のａ１〜ａ３、ｅ１〜ｅ３が焦点検出可能枠に含まれない焦点検出枠となりケラレがあると判定される。その後、選択焦点検出枠を移動することで、焦点検出枠として、ｂ１〜ｂ３、ｃ１〜ｃ３、ｄ１〜ｄ３が用いられることになる。
【００７９】
また、自動焦点検出モードの種類として、ゾーン焦点検出モードを選択している場合には、図５（ａ）が焦点検出可能領域なので、左下のゾーンを選択した場合は、焦点検出枠として、ｃ１〜ｃ３、ｄ１〜ｄ３、ｅ１〜ｅ３が用いられる。レンズを付け替えにより図５（ｂ）が焦点検出可能領域となると、焦点検出枠のｅ１〜ｅ３が焦点検出可能枠に含まれない焦点検出枠となりケラレがあると判定される。その後、最小移動先を計測することで、焦点検出枠として、ｂ１〜ｂ３、ｃ１〜ｃ３、ｄ１〜ｄ３が用いられることになる。
【００８０】
また、自動焦点検出モードの種類として、任意一点焦点検出モードを選択している場合には、図５（ａ）が焦点検出可能領域なので、焦点検出枠として、ｅ３を選択しているものとする。レンズを付け替えにより図５（ｂ）が焦点検出可能領域となると、焦点検出枠のｅ３が焦点検出可能枠に含まれない焦点検出枠となりケラレがあると判定される。その後、最小移動先を計測することで、焦点検出枠として、ｄ３が用いられることになる。
【００８１】
このように、現在選択中の焦点検出枠の変更において、デジタルカメラ２００に装着されるレンズ１００の種類を判定して、あらかじめレンズ毎に定められた焦点検出可能領域に切り替えた上で、選択焦点検出枠のケラレを判定し、最小移動先を計測した上で、選択焦点検出枠を移動させるようにしている。
【００８２】
以上のようにして、レンズによる焦点検出光束の特徴を元にあらかじめ焦点検出可能な領域を定めておくことで、レンズの脱着を検知し、ケラレを判定し、焦点検出枠、焦点検出領域の遷移制御を行うようにすること、さらに、焦点検出枠や焦点検出領域を設定する焦点検出モードの遷移を分かりやすくすることが可能になった。
【００８３】
［実施例２］
実施例１では、レンズによる焦点検出光束の特徴を元にあらかじめ焦点検出可能な領域を定めておくことで、レンズの脱着を検知し、ケラレを判定し、焦点検出枠、焦点検出領域の遷移制御を行うようにすること、さらに、焦点検出枠や焦点検出領域を設定する焦点検出モードの遷移を分かりやすくすることを可能とする焦点検出枠の変更方法に関する装置構成を説明した。
【００８４】
実施例２では、実施例１と異なる選択焦点検出枠の変更方法に関する装置構成を説明する。
【００８５】
図８は実施例２におけるデジタルカメラ２００に装着されるレンズ１００の種類を判定して、現在選択中の焦点検出枠の変更する処理のフローチャートである。このフローチャートにおける各処理はシステムコントローラ２２３がＥＥＰＲＯＭ２２２に格納されたプログラムを実行することにより実現される。ここでは、実施例１と異なるステップについて説明を行う。
【００８６】
［ステップＳ１１４］選択焦点検出枠を中央へ移動する
現在選択中の焦点検出モードにおける焦点検出領域の中央へ選択焦点検出枠を移動する。図５（ａ）、図５（ｂ）を用いてステップＳ１１４における具体的な処理について説明する。
【００８７】
自動焦点検出モードの種類として、全領域焦点検出モードを選択している場合には、図５（ａ）が焦点検出可能領域なので、焦点検出枠として、ａ１〜ａ９、ｂ１〜ｂ９、ｃ１〜ｃ９、ｄ１〜ｄ９、ｅ１〜ｅ９が用いられる。レンズを付け替えにより図５（ｂ）が焦点検出可能領域となると、焦点検出枠のａ１〜ａ９、ｅ１〜ｅ９が焦点検出可能枠に含まれない焦点検出枠となりケラレがあると判定される。全領域焦点検出モードには、焦点検出可能領域の中央に相当する領域は無いため、その後、選択焦点検出枠を移動することで、焦点検出枠として、ｂ１〜ｂ９、ｃ１〜ｃ９、ｄ１〜ｄ９が用いられることになる。
【００８８】
また、自動焦点検出モードの種類として、大ゾーン焦点検出モードを選択している場合には、図５（ａ）が焦点検出可能領域なので、左側の大ゾーン領域を選択している場合は、焦点検出枠として、ａ１〜ａ３、ｂ１〜ｂ３、ｃ１〜ｃ３、ｄ１〜ｄ３、ｅ１〜ｅ３が用いられる。レンズを付け替えにより図５（ｂ）が焦点検出可能領域となると、焦点検出枠のａ１〜ａ３、ｅ１〜ｅ３が焦点検出可能枠に含まれない焦点検出枠となりケラレがあると判定される。大ゾーン焦点検出モードには、焦点検出可能領域の中央に相当する領域は、焦点検出枠として、ｂ４〜ｂ６、ｃ４〜ｃ６、ｄ４〜ｄ６となるため、その後、選択焦点検出枠を移動することで、上記焦点検出枠が用いられることになる。
【００８９】
また、自動焦点検出モードの種類として、ゾーン焦点検出モードを選択している場合には、図５（ａ）が焦点検出可能領域なので、左下のゾーンを選択した場合は、焦点検出枠として、ｃ１〜ｃ３、ｄ１〜ｄ３、ｅ１〜ｅ３が用いられる。レンズを付け替えにより図５（ｂ）が焦点検出可能領域となると、焦点検出枠のｅ１〜ｅ３が焦点検出可能枠に含まれない焦点検出枠となりケラレがあると判定される。ゾーン焦点検出モードには、焦点検出可能領域の中央に相当する領域は、焦点検出枠として、ｂ４〜ｂ６、ｃ４〜ｃ６、ｄ４〜ｄ６となるため、その後、選択焦点検出枠を移動することで、上記焦点検出枠が用いられることになる。
【００９０】
また、自動焦点検出モードの種類として、任意一点焦点検出モードを選択している場合には、図５（ａ）が焦点検出可能領域なので、焦点検出枠として、ｅ３を選択しているものとすると、レンズを付け替えにより図５（ｂ）が焦点検出可能領域となると、焦点検出枠のｅ３が焦点検出可能枠に含まれない焦点検出枠となりケラレがあると判定される。任意一点焦点検出モードには、焦点検出可能領域の中央に相当する領域は、焦点検出枠として、ｃ５となるため、その後、選択焦点検出枠を移動することで、上記焦点検出枠が用いられることになる。
【００９１】
このように、現在選択中の焦点検出枠の変更において、デジタルカメラに装着されるレンズの種類を判定して、あらかじめレンズ毎に定められた焦点検出可能領域に切り替えた上で、選択焦点検出枠のケラレを判定し、現在選択中の焦点検出モードにおける焦点検出領域の中央へ選択焦点検出枠を移動させるようにしている。
【００９２】
以上のようにして、実施例１同様にレンズによる焦点検出光束の特徴を元にあらかじめ焦点検出可能な領域を定めておくことで、レンズの脱着を検知し、ケラレを判定し、焦点検出枠、焦点検出領域の遷移制御を行うようにすること、さらに、焦点検出枠や焦点検出領域を設定する焦点検出モードの遷移を分かりやすくすることが可能になった。
【００９３】
［実施例３］
実施例１、２では、レンズによる焦点検出光束の特徴を元にあらかじめ焦点検出可能な領域を定めておくことで、レンズの脱着を検知し、ケラレを判定し、焦点検出枠、焦点検出領域の遷移制御を行うようにすること、さらに、焦点検出枠や焦点検出領域を設定する焦点検出モードの遷移を分かりやすくすることを可能とする焦点検出枠の変更方法に関する装置構成を説明した。
【００９４】
実施例１，２では、レンズの脱着を検知し、ケラレを判定した際に、自動焦点検出モードが変わらないことを前提に説明を行った。しかし、実際には、コスト的な制約により透過型液晶に表示可能な線や枠などのキャラクター数の上限があり、焦点検出領域や焦点検出枠が十分に表現できない場合がある。
【００９５】
そこで、実施例３では、図５（ｂ）が焦点検出可能領域となった場合に、自動焦点検出モードである大ゾーン検出モードが表現できない場合について、実施例１、２と異なる選択焦点検出枠の変更方法に関する装置構成を説明する。
【００９６】
図９は図５（ｂ）に対して自動焦点検出モードである大ゾーン検出モードが表現できない場合のファインダを覗いた場合に見えるファインダ視野内の構成を示している。この図では、透過型液晶２５１の複数のセグメント（表示部）が全点等した状態を示している。
【００９７】
図５（ｂ）では、大ゾーンとしては、括弧３１０、括弧３１２で囲まれた大ゾーン領域１、括弧３２０、括弧３２２に囲まれた大ゾーン領域２、括弧３３０、括弧３３２で囲まれた大ゾーン領域３の３つの領域が表現できているが、図９では、大ゾーン領域を表現するための括弧３５２，括弧３６０、括弧３６２、括弧３７０が存在しない。
【００９８】
図５（ａ）の液晶表示では、全領域焦点検出モード、大ゾーン焦点検出モード、ゾーン焦点検出モード、任意一点焦点検出モードの全ての自動焦点検出モードが選択可能である。一方、図９の液晶表示では、全領域焦点検出モード、ゾーン焦点検出モード、任意一点焦点検出モードの自動焦点検出モードが選択可能である。
【００９９】
ここで、全ての自動焦点検出モードが選択可能で、かつ焦点検出領域が最も広い図５（ａ）で各自動焦点検出モード毎に取り得る焦点検出領域の広さを比較すると、大きい領域のモードから順に、全領域焦点検出モード、大ゾーン焦点検出モード、ゾーン焦点検出モード、任意一点焦点検出モードとなる。仮に自動焦点検出モードが焦点検出領域が小さくなる方向へ自動で切り替わるとすると焦点検出領域の差が少ない自動焦点検出モードに切り替われば、違和感が少ないと考えられる。つまり、図９での自動焦点検出モードで大ゾーン焦点検出モードが選択できなくなった場合には、ゾーン焦点検出モードに切り替われば良いことになる。
【０１００】
図１０は実施例３におけるデジタルカメラ２００に装着されるレンズ１００の種類を判定して、現在選択中の焦点検出枠の変更する処理のフローチャートである。このフローチャートにおける各処理はシステムコントローラ２２３がＥＥＰＲＯＭ２２２に格納されたプログラムを実行することにより実現される。
【０１０１】
ここでは、実施例１と異なるステップについて説明を行う。ここでは、図５（ａ）で自動焦点選択モードとして大ゾーン焦点検出モードを選択した状態で図９に焦点検出可能領域が変更になり、自動焦点検出モードである大ゾーン検出モードが表現できない場合について説明する。
【０１０２】
［ステップＳ１２０］自動焦点検出モードの変更があるか判定をする
自動焦点検出モードに変更があるかを判定する。図９では自動焦点選択モードとして大ゾーン焦点検出モードが選択できないため、自動焦点検出モードの変更があることになる。
【０１０３】
［ステップＳ１２２］変更があるか
ステップＳ１２０で自動焦点検出モードに変更があるかを判定する。変更がある場合はステップＳ１２４へ、変更がない場合はステップＳ１１４へ分岐する。
【０１０４】
［ステップＳ１２４］自動焦点検出モードを変更する
自動焦点検出モードを変更する。図９での自動焦点検出モードで大ゾーン焦点検出モードが選択できなくなった場合には、ゾーン焦点検出モードに切り替える。
【０１０５】
［ステップＳ１１４］選択焦点検出枠を中央へ移動する
現在選択中の焦点検出モードにおける焦点検出領域の中央へ選択焦点検出枠を移動する。
【０１０６】
図９での自動焦点検出モードで大ゾーン焦点検出モードが選択できなくなった場合には、ゾーン焦点検出モードに切り替わっているので、焦点検出可能領域の中央に相当する領域、つまり、ｂ４〜ｂ６、ｃ４〜ｃ６、ｄ４〜ｄ６に選択焦点検出枠を移動する。
【０１０７】
このように、現在選択中の焦点検出枠の変更において、デジタルカメラに装着されるレンズの種類を判定して、あらかじめレンズ毎に定められた焦点検出可能領域に切り替えた上で、自動焦点検出モードの変更があるか判定をして、自動焦点検出モードを変更した上で、現在選択中の焦点検出モードにおける焦点検出領域の中央へ選択焦点検出枠を移動させるようにしている。
【０１０８】
以上のようにして、実施例１、２同様にレンズによる焦点検出光束の特徴を元にあらかじめ焦点検出可能な領域を定めておくことで、レンズの脱着を検知し、ケラレを判定し、焦点検出枠、焦点検出領域の遷移制御を行うようにすること、さらに、焦点検出枠や焦点検出領域を設定する焦点検出モードの遷移を分かりやすくすることが可能になった。
【符号の説明】
【０１０９】
１００  撮影レンズユニット、１０１  撮影レンズ、１０２  絞り、
１０３  レンズ駆動機構、１０４  レンズ制御回路、１０５  絞り駆動機構、
１０６  絞り制御回路、１０７  電気的接点群、２００  デジタルカメラ、
２０１  ペンタプリズム、２０２  クイックリターンミラー、２０３  サブミラー、
２０４  ＡＦセンサ、２０６  接眼レンズ、２０７  測光回路、
２０８  フォーカルプレーンシャッタ、２０９  フィルタ、２１０  イメージセンサ、
２１１  シャッタチャージ・ミラー駆動機構、２１２  シャッタ制御回路、
２１３  画像表示回路、２１４  エンコーダ回路、２１５  Ｄ／Ａコンバータ、
２１６  Ａ／Ｄコンバータ、２１７  タイミングパルス発生回路、
２１８  画像データ記録メディア、２１９  画像圧縮回路、
２２０  画像データコントローラ、２２１  ＤＲＡＭ、２２２  ＥＥＰＲＯＭ、
２２３  システムコントローラ、２２４  通信インターフェース回路、
２２５  表示回路、２２６  電子ダイヤルＳＷ、２２７  決定ＳＷ、
２２９  モード設定ＳＷ、２３０  レリーズＳＷ２、２３１  レリーズＳＷ１、
２３６  メニューＳＷ、２３７  再生ＳＷ、２３８  拡大縮小ＳＷ、２５０  ピント版、
２５１  透過型液晶、３００  外部制御装置
【図１】
2017021177.tif 000004
【図２】
2017021177.tif 000005
【図３】
2017021177.tif 000006
【図４】
2017021177.tif 000007
【図５】
2017021177.tif 000008
【図６】
2017021177.tif 000009
【図７】
2017021177.tif 000010
【図８】
2017021177.tif 000011
【図９】
2017021177.tif 000012
【図１０】
2017021177.tif 000013